(57)【要約】      （修正有）【課題】海水による袋ナットやボルトの腐食や錆を防止でき、長期の使用に絶え得る複合袋ナットを提供する。【解決手段】一端に袋状頭部１１を他端に鍔状の座部１２を備え、かつ中心部にネジ孔１３を有する鋼製ナット本体１０を形成すると共に、座部１２における座面にネジ孔１３と同心円状に複数（図では２個）の環状の突起部１４，１５を突設する一方、ネジ孔１３を除くナット本体１０の外周に、袋状頭部１１及び突起部１４，１５をもつ座部１２を含めたナット本体１０の外周全体を連続的に覆う高硬度で耐海水腐食性に優れたチタン合金層１６を設けて複合袋ナットを形成した。【選択図】図３
0003142298.tif 000002
【実用新案登録請求の範囲】
【請求項１】
一端に袋状頭部を他端に座部とを備え、かつ中心部にネジ孔を有するアルミ、鋳物、鉄又は鋼製などのナット本体を形成すると共に、座部における座面のネジ孔周りに環状の突起部を突設する一方、ネジ孔を除くナット本体の外周に、袋状頭部及び突起部をもつ座部を含めたナット本体の外周を連続的に覆う高硬度で耐腐食性に優れたチタン合金層を設けたことを特徴とする複合袋ナット。
【請求項２】
座部は鍔状を呈すると共に、該座部における座面に環状の突起部がネジ孔と同心円上に複数個設けられ、その断面形状が鋭角状を呈していることを特徴とする複合袋ナット。
【考案の詳細な説明】
【技術分野】
【０００１】  本考案は、主として海水に接して設けられる固定部材に支柱などの部材を大型の鋼製ボルトと鋼製袋ナットとにより取り付ける際に用いる大型の複合袋ナットに関する。
【技術背景】
【０００２】  従来、例えば海水に接して設けられる固定部材に支柱を大型の鋼製ボルトと鋼製袋ナットにより取り付ける際には、鋼製袋ナットを固定部材の海水側に位置させた状態で、非海水側から支柱と固定部材とを貫通するボルトを袋ナットに締め込んで、固定部材に支柱を固定するようにしている。
【考案の開示】
【考案が解決しようとする課題】
【０００３】  しかし、上記した鋼製袋ナットと鋼製ボルトによる締結では、直接鋼製袋ナットや例えば鋼製の固定部材が海水に接することになるので、海水により鋼製袋ナットや固定部材が腐食したり錆び付いたりする問題があった。また、鋼製袋ナットの座面と固定部材との当接面間に隙間が生じると海水が袋ナット内に侵入して袋ナット内のボルトまでも腐食したり錆び付いたりするといった問題があり、長期の使用に絶えないといった問題があった。【０００４】  そこで、本考案は、海水による袋ナットやボルトの腐食や錆を防止でき、長期の使用に絶え得る複合袋ナットの提供を課題とする。
【課題を解決するための手段】
【０００５】  上記問題を解決するため、本願の請求項１に記載の考案は、一端に袋状頭部を他端に座部とを備え、かつ中心部にネジ孔を有するアルミ、鋳物、鉄又は鋼製などのナット本体を形成すると共に、座部における座面のネジ孔周りに環状の突起部を突設する一方、ネジ孔を除くナット本体の外周に、袋状頭部及び突起部をもつ座部を含めたナット本体の外周を連続的に覆う高硬度で耐腐食性に優れたチタン合金層を設けたことを特徴とする。【０００６】  また、本願の請求項２に記載の考案は、座部は鍔状を呈すると共に、該座部における座面に環状の突起部がネジ孔と同心円上に複数個設けられ、その断面形状が鋭角状を呈していることを特徴とする。
【考案の効果】
【０００７】  上記した構成によれば、例えば鋼製ナット本体の座部の座面におけるネジ孔周りに環状の突起部を突設する一方、ネジ孔を除くナット本体、袋状頭部、座部の外周に、これらナット本体、袋状頭部、座部を連続的に覆う防錆兼硬質のチタン合金層を設けたから、チタン合金層の防錆効果により、海水による袋ナットの腐食や錆発生を防止でき、しかも、座部の座面におけるネジ孔周りに高硬度で耐腐食性に優れたチタン合金層からなる環状の突起部を突設しているので、この硬度の高いチタン合金層からなる突起部分を積極的に固定部材側に食い込ませることが可能となる。これにより、複合袋ナットの座面と固定部材との当接面間における隙間の発生を効果的になくすことができ、その結果、海水が袋ナット内に侵入して複合袋ナット内のボルトが腐食したり錆付いたりするのを防止できる。【０００８】  また、座部が鍔状を呈すると共に、該座部における座面に環状の突起部がネジ孔の中心と同心円上に複数個設けられ、その断面形状が鋭角状を呈するように形成すれば、硬度の高いチタン合金層からなる２つの環状突起部分を固定部材に二重に食い込ませることが可能となる。これにより、複合袋ナットの座面と固定部材との当接面間における隙間の発生をより一層効果的になくすことができ、その結果、海水が複合袋ナット内に侵入するのをより確実に防止して袋ナット内のボルトが腐食したり錆付いたりするのを防止することができる。
【考案を実施するための最良の形態】
【０００９】  以下、本考案の実施の形態を図に基づいて説明する。【００１０】  図１は、海水に接して設けられる固定部材に支柱を大型ボルトと大型袋ナットとにより取り付ける際に用いる本考案の大型の複合袋ナットを示し、該複合袋ナット１は、一端に袋状頭部１１を他端に鍔状の座部１２を備え、かつ中心部にネジ孔１３を有する鋼製ナット本体１０を形成すると共に、座部１２における座面にネジ孔１３と同心円状に複数（図では２個）の環状の突起部１４，１５を突設する一方、ネジ孔１３を除くナット本体１０の外周に、袋状頭部１１及び突起部１４，１５をもつ座部１２を含めたナット本体１０の外周全体を連続的に覆う高硬度で耐腐食性に優れたチタン合金層（例えばＴｉ−１５Ｖ−３Ｃｒ−３Ｓｎ−３ａｌ）１６を設けた構成となっている。【００１１】  環状の突起部１４，１５は１個又は２個以上であってもよい。また、突起部１４，１５の断面形状は鋭角状に形成されている。これにより、突起部１４，１５を覆う高硬度のチタン合金層１６の突起部分１７，１８も鋭角状を呈している。【００１２】  また、ボルト２は鋼製で外周にネジ２１をもつボルト本体２０と頭部２２とからなる。【００１３】  また、図２及び図３において符号３は海水に接して設けられる固定部材であり、また符号４は固定部材３に取り付けられる支柱であり、符号５は支柱４とボルト２との間に介装される座金である。【００１４】  図に示す実施の形態では、固定部材３を鋼板３１とその外面を覆うチタン層（例えばＤＩＮ３−７０３５）３２との二層構造として、チタン層３２により海水による腐食や錆発生を防止する構造としている。【００１５】  その場合、チタン層３２の硬度は鋼板３１の硬度よりも高く、また上記した複合袋ナット１のチタン合金層１６の硬度よりも低いものを用いている。これにより複合袋ナット１の締付時、複合袋ナット１のチタン合金層１６の鋭角状突起部分１７，１８は変形せず、固定部材３側のチタン層３２と鋼板３１とが変形するように設定している。【００１６】  次に、上記した複合袋ナットの作用について説明する。【００１７】  図２及び図３に示すように、複合袋ナット１を固定部材３の海水側となるチタン層３２の外側に位置させた状態で、非海水側から座金５、支柱４、固定部材３にそれぞれの挿通孔５ａ，４ａ，３ａを介してボルト２を挿通し、このボルト２を袋ナット１に締め付けて、袋ナット１とボルト２とにより固定部材３に支柱４を固定する。【００１８】  その際、複合袋ナット１の高硬度のチタン合金層１６における２つの環状突起部分１７，１８が固定部材３の側面部分、つまりチタン合金層１６よりも硬度の低いチタン層３２及び鋼板３１部分に密着状に食い込んで締結されることになる。これにより、複合袋ナット１の座面と固定部材３との当接面間における隙間の発生を積極的にかつ効果的になくすことができ、その結果、海水が複合袋ナット１内に侵入するのを確実に防止して複合袋ナット１内のボルト２が腐食したり錆付いたりするのを防止することができる。したがって、大型の複合袋ナット１と大型のボルト２で固定部材３と支柱４とを長期にわたって確実に固定することができる。【００１９】  また、固定部材３の海水と接する側��部分にもチタン層３２を設けているので、固定部材３の腐食や錆付きについても防止することができる。【００２０】  なお、上記した実施の形態では、海水と接する場所に用いる大型の複合ナットについて説明したけれども、何らかかる用途に限られるものではないし、小型の複合ナットにも適用できることは勿論である。また、ナット本体１０としては何ら鋼製に限定されるものではなく、例えばアルミ、鋳物又は鉄製のものであってもよい。
【図面の簡単な説明】
【００２１】
【図１】  本考案に係る複合袋ナットの一部切り欠き正面図である。
【図２】  同複合袋ナットの使用前の縦断説明図である。
【図３】  同複合袋ナットの使用状態を示す縦断面図である。
【符号の説明】
【００２２】  １        複合ナット
１０      ナット本体
１１      袋状頭部
１２      座部
１３      ネジ孔
１４      突起部
１５      突起部
１６      チタン合金層
【図１】
0003142298.tif 000003
【図２】
0003142298.tif 000004
【図３】
0003142298.tif 000005
【手続補正書】
【提出日】平成20年2月28日(2008.2.28)
【手続補正１】
【補正対象書類名】実用新案登録請求の範囲
【補正対象項目名】全文
【補正方法】変更
【補正の内容】
【実用新案登録請求の範囲】
【請求項１】
一端に袋状頭部を他端に座部とを備え、かつ中心部にネジ孔を有するアルミ、鋳物、鉄又は鋼製などのナット本体を形成すると共に、座部における座面のネジ孔周りに環状の突起部を突設する一方、ネジ孔を除くナット本体の外周に、袋状頭部及び突起部をもつ座部を含めたナット本体の外周を連続的に覆う高硬度で耐腐食性に優れたチタン合金層を設けたことを特徴とする複合袋ナット。
【請求項２】
座部は鍔状を呈すると共に、該座部における座面に環状の突起部がネジ孔と同心円上に複数個設けられ、その断面形状が鋭角状を呈していることを特徴とする請求項１記載の複合ナット。